【手続補正書】
【提出日】平成24年3月28日(2012.3.28)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報を可変表示する可変表示部を備え、前記可変表示部における識別情報の表示結果があらかじめ定められた特定表示結果となったときに、遊技者にとって有利な特定遊技状態に制御する遊技機であって、
前記特定表示結果とするか否かを、識別情報の表示結果が導出表示される以前に決定する事前決定手段と、
前記事前決定手段によって前記特定表示結果と決定されたか否かを前記可変表示部において画像表示により予告する出現タイミングの異なる複数の予告演出をそれぞれ実行するか否かを決定する予告演出決定手段と、
前記予告演出決定手段によって実行すると決定された各予告演出の表示態様を、通常表示態様とするか、または前記通常表示態様とは異なる予告表示の一部または全部に前記各予告演出で共通のモチーフ態様を出現させる特殊表示態様とするかを決定する予告態様決定手段と、
前記予告態様決定手段が決定した表示態様で、前記識別情報の１回の可変表示中に前記予告演出決定手段によって実行すると決定された予告演出をそれぞれ実行する予告演出実行手段とを備え、
前記予告演出決定手段は、前記事前決定手段によって前記特定表示結果とすることに決定されている場合には、前記事前決定手段によって前記特定表示結果としないことに決定されている場合と比較して高い割合で、前記各予告演出を実行することに決定し、
前記予告態様決定手段は、
前記事前決定手段によって前記特定表示結果とすることに決定されている場合には、前記事前決定手段によって前記特定表示結果としないことに決定されている場合と比較して高い割合で、前記予告演出決定手段によって実行すると決定された予告演出の表示態様を前記特殊表示態様とすることに決定し、
前記事前決定手段によって前記特定表示結果とすることに決定されている場合には、前記事前決定手段によって前記特定表示結果としないことに決定されている場合と比較して高い割合で、前記特殊表示態様で実行される予告演出の数が多くなるように決定する
ことを特徴とする遊技機。
【手続補正２】
【補正対象書類名】明細書
【補正対象項目名】００２４
【補正方法】変更
【補正の内容】
【００２４】
特殊表示態様制限手段が、事前決定手段によって特定表示結果とすることに決定されているときには、識別情報の１回の可変表示中に所定数として第１所定数以上の特殊表示態様を出現させることを許可し、事前決定手段によって特定表示結果としないことに決定されているときには、識別情報の１回の可変表示中に出現させる特殊表示態様の数を第１所定数未満に制限するように構成されることによって、第１所定数以上の予告演出においてモチーフ態様が出現すれば特定表示結果となることが確定することから、遊技者に対してより予告表示に対する関心を惹きつけさせることができる。従って、より遊技に対する興趣を向上させることができる。
【手続補正３】
【補正対象書類名】明細書
【補正対象項目名】００２５
【補正方法】変更
【補正の内容】
【００２５】
特殊表示態様制限手段が、事前決定手段によって移行条件を成立させることに決定されているときには、識別情報の１回の可変表示中に所定数として第２所定数以上の特殊表示態様を出現させることを許可し、事前決定手段によって移行条件を成立させないことに決定されているときには、識別情報の１回の可変表示中に出現させる特殊表示態様の数を第２所定数未満に制限するように構成されることによって、第２所定数以上の予告演出においてモチーフ態様が出現すれば移行条件の成立が確定することから、遊技者に対してより予告表示に対する関心を惹きつけさせることができる。従って、より遊技に対する興趣を向上させることができる。
【手続補正４】
【補正対象書類名】明細書
【補正対象項目名】００２６
【補正方法】変更
【補正の内容】
【００２６】
移行条件を成立させると決定されたか否かを特定不能に識別情報の表示結果を導出表示した後に、特別遊技状態に移行させることを報知する移行後報知演出を実行する移行後報知手段をさらに備え、特殊表示態様制限手段が、可変表示実行手段によって移行条件を成立させると決定されたか否かを特定不能に識別情報の表示結果が導出表示された場合に移行後報知手段によって移行後報知演出が実行されるときには、識別情報の１回の可変表示中に所定数として第３所定数以上の特殊表示態様を出現させることを許可し、可変表示実行手段によって移行条件を成立させると決定されたか否かを特定不能に識別情報の表示結果が導出表示された場合に移行後報知手段によって移行後報知演出が実行されないときには、識別情報の１回の可変表示中に出現させる特殊表示態様の数を第３所定数未満に制限するように構成されることによって、第３所定数以上の予告演出においてモチーフ態様が出現すれば移行条件を成立させると決定されたか否かを特定不能に識別情報の表示結果が導出表示された場合であっても移行後報知演出が実行されて特別遊技状態となることが確定することから、遊技者に対してより予告表示に対する関心を惹きつけさせることができる。従って、より遊技に対する興趣を向上させることができる。
【手続補正５】
【補正対象書類名】明細書
【補正対象項目名】００２７
【補正方法】変更
【補正の内容】
【００２７】
特殊表示態様制限手段が、識別情報の１回の可変表示中に出現させる特殊表示態様の数を、各予告演出に対してあらかじめ定められた優先順位に従って、所定数未満に制限するように構成されることによって、予告演出に優先順位を設けることによって、遊技者に対してより予告表示に対する関心を惹きつけさせることができる。
【手続補正６】
【補正対象書類名】明細書
【補正対象項目名】００２８
【補正方法】変更
【補正の内容】
【００２８】
特殊表示態様制限手段が、識別情報の１回の可変表示中に出現させる特殊表示態様の数を、遊技状態が通常遊技状態であるか特別遊技状態であるかに応じて異なる所定数未満に制限するように構成されることによって、遊技状態に応じて予告演出においてモチーフ態様が出現する割合に変化をもたせることができ、遊技に対する興趣を向上させることができる。
【手続補正７】
【補正対象書類名】明細書
【補正対象項目名】００２９
【補正方法】変更
【補正の内容】
【００２９】
特殊表示態様制限手段が、特別遊技状態に移行されている場合には、事前決定手段によって特定表示結果とすることに決定されるとともに移行条件を成立させることに決定されているとき、または事前決定手段によって特定表示結果としないことに決定されているときには、識別情報の１回の可変表示中に所定数として第４所定数以上の特殊表示態様を出現させることを許可し、事前決定手段によって特定表示結果とすることに決定されるとともに移行条件を成立させないことに決定されているときには、識別情報の１回の可変表示中に出現させる特殊表示態様の数を第４所定数未満に制限するように構成されることによって、第４所定数以上の予告演出においてモチーフ態様が出現すれば、遊技者は少なくとも特別遊技状態が終了しないことを認識することができ、遊技に対する興趣を向上させることができる。
【手続補正８】
【補正対象書類名】明細書
【補正対象項目名】００３０
【補正方法】変更
【補正の内容】
【００３０】
特殊表示態様制限手段が、第２特定遊技状態を終了した後に特別遊技状態に移行されている場合には、事前決定手段によって特定表示結果とすることに決定されるとともに移行条件を成立させることに決定されているときには、識別情報の１回の可変表示中に所定数として第５所定数以上の特殊表示態様を出現させることを許可し、事前決定手段によって特定表示結果とすることに決定されるとともに移行条件を成立させないと決定されているとき、または事前決定手段によって特定表示結果としないことに決定されているときには、識別情報の１回の可変表示中に出現させる特殊表示態様の数を第５所定数未満に制限するように構成されることによって、第５所定数以上の予告演出においてモチーフ態様が出現すれば移行条件の成立が確定することから、遊技者に対してより予告表示に対する関心を惹きつけさせることができる。従って、より遊技に対する興趣を向上させることができる。
【手続補正９】
【補正対象書類名】明細書
【補正対象項目名】００３１
【補正方法】変更
【補正の内容】
【００３１】
事前決定手段の決定結果またはリーチ決定手段による決定結果の少なくとも一方にもとづいて、識別情報の変動パターン種別を複数種類のいずれかに決定する変動パターン種別決定手段と、変動パターン種別決定手段により決定された変動パターン種別に含まれる変動パターンの中から識別情報の変動パターンを決定する変動パターン決定手段とを備えるように構成されることによって、変動パターン決定の設計変更を容易化できるとともに、プログラム容量の増加を招くことなく、リーチ状態とならない場合においても多様な演出を実行して遊技の興趣を向上させることができる。
【手続補正１０】
【補正対象書類名】明細書
【補正対象項目名】００３２
【補正方法】変更
【補正の内容】
【００３２】
予告演出決定手段が、実行する予告演出の予告演出種別を複数種類のいずれかに決定する予告種別決定手段と、予告種別決定手段により決定された予告演出種別に含まれる予告演出の中から、実行する予告演出を決定する予告決定手段とを備えるように構成されることによって、予告演出決定の設計変更を容易化できるとともに、プログラム容量の増加を招くことなく、多様な予告演出を実行して遊技の興趣を向上させることができる。
【手続補正１１】
【補正対象書類名】明細書
【補正対象項目名】００３３
【補正方法】変更
【補正の内容】
【００３３】
予告演出決定手段が、予告演出ごとに設定されたテーブルを用いて、各予告演出をそれぞれ実行するか否かを個別に決定するように構成されることによって、予告演出を決定するための個々のテーブルの容量を軽減することができる。
【手続補正１２】
【補正対象書類名】明細書
【補正対象項目名】００３４
【補正方法】変更
【補正の内容】
【００３４】
予告演出決定手段が、複数の予告演出の組み合わせが設定されたテーブルを用いて、各予告演出をそれぞれ実行するか否かを決定するように構成されることによって、複数の予告演出を容易に連携させることができる。